(57)【特許請求の範囲】
【請求項１】
戸車ケースと、
前記戸車ケースに取り付けられた送りねじと、
前記送りねじの側面に設けられたナットと、
前記ナットが係合するカム溝を有するカム板と、
前記戸車ケースに対し、前記カム板を傾き可能に支持する支持軸と、
戸車リングを回転自在に支持する台車枠と、
前記台車枠に前記カム板を連結する台車軸と、
前記送りねじに対して前記台車枠を付勢するばねとを有し、
前記戸車リングの軸線に直交する方向に延在する前記送りねじを回転させることにより、前記カム板が傾いて、前記台車枠が上下することを特徴とする戸車。
【請求項２】
前記戸車リングは２つあり、前記台車枠は前記送りねじに対してバネにより付勢されていることを特徴とする請求項１に記載の戸車。
【発明の詳細な説明】
【技術分野】
【０００１】  寒冷地の高齢者の寒さ対策として引戸等のすき間風を防ぎ。手の不自由な人のために障子戸、襖、引戸等の開閉を軽くするために、戸のすべり摩擦をころがり摩擦にかえる戸車に関する。
【背景技術】
【０００２】  高齢者は血圧降下剤を常用していると寒くなっても血管拡張剤の副作用で抹梢血管の収縮が妨げられ、そのため過放熱がおき、身体の芯まで「冷え」を感じる。（非特許文献１参照）【０００３】  慢性関節リュウマチ、神経痛等を患った高齢者は暑さ寒さによって症状が悪化し手が痛み障子戸、襖、引戸の開閉が困難である。（非特許文献１参照）【０００４】
【非特許文献１】川島美勝編著、「高齢者の住宅熱環境」理工学社出版、１９９４年６月２４日発行、Ｐ．４０〜４１
【０００５】  寒さを防ぐすき間風の対策として柱と障子戸、襖、引戸等のすき間にスポンジ付テープを柱に接着する方法がある。【０００６】  障子戸、襖、引戸等の開閉を軽くする方法として敷居の溝に樹脂テープを接着しすべりを良くする。【０００７】  引戸の下端縁と下枠材とのすき間を閉塞するため長いすき間の閉塞片を取付けることが特許文献１に記載。そこには左右の車輪の高さ位置を調整して下枠材を基準に調整し引戸の左右側面を左右の縦枠材に可能な範囲で密着させることができる構成が開示されている。（特許文献１参照）【０００８】
【特許文献１】特開平９−１７０３７３号公報
【０００９】  特許文献２には、引き戸と枠体とのすれ違い合いクリアランスの設定を容易にし、戸車を上下調整手段とするため垂直案内溝と傾斜案内溝を重なり合開口部に戸車軸を架け渡してる戸車方式の引戸構造が開示されている。（特許文献２参照）【００１０】
【特許文献２】特開平９−  ６０４０１号公報
【００１１】  特許文献２では引戸の重量３〜３０ｋｇを受ける戸車軸は垂直案内溝と傾斜案内溝の切欠き部の断面の接点で受けている。そのため戸車軸受は軸の全周で受ける構造でないため変形、磨耗を生じ戸が重くなる。（図８参照）
【発明の開示】
【発明が解決しようとする課題】
【００１２】  高齢者はすき間風で体が冷える。その対策として柱と引戸の立てかまちにスポンジ付きのテープを柱に接着、すき間風を防ぐ。しかし黒、灰色のスポンジは外見が悪く、戸の繰返しの開閉でスポンジが直ぐにはがれる。【００１３】  障子戸、襖、引戸等の開閉を軽くするための対策として樹脂テープを敷居の溝に貼付けてすべりを良くする方法がある。しかし溝に凹凸が有ると樹脂シートは凹凸状に伸びてすべりが悪くなり戸の開閉が重くなる。【００１４】  市販の引戸は戸車にベアリングが組み込まれ開閉が軽く、戸車の高さを調整できる機能がある。市販の戸に交換するために敷居、立てかまち、鴨居等をセットになった枠を交換する大幅な工事が必要である。敷居にはＶ形レールが組み込まれ戸車はその上を移動するようになっておる。リフォームは新規に戸とレールを組み込んだ敷居、立てかまち、鴨居等の枠を交換する大幅な工事になり、高価な費用と長い工事期間を必要とする。【００１５】  改造後１年間で、引戸は床と引戸の下かまちに２〜４ｍｍのすき間があり戸車に綿ぼこり、ペットの毛等が車輪の軸に絡みつき、戸の動きが悪くなる。そのため車輪にキズが生じ、ゴトゴトと騒音を発生。その音は戸の空洞部で共鳴し大きな音になりうるさい。【００１６】  市販の戸車の高さ調整はねじ方式がある。戸車は支点から作用点間の距離が支点から力点間までの距離の２〜５倍ある。そのためて戸車の高さ微調整はてこの原理で作用点の移動量がねじの力点の移動量より２〜５倍に拡大し困難である。【００１７】  ここで、いずれの文献においても共通なのは新規に引戸と取付け枠を製作し、特許公開の戸車に上下調整機構を設けることを対象としている。【００１８】  高齢者にとっては既存の障子戸、襖、引戸等をすべらせて開閉することが重くて手が痛くて苦痛である。【００１９】  戸車の軌道部戸等に塵、砂ぼこり、綿ぼこり等が入り込むと戸の開閉が重くなる。【００２０】  寒冷地の寒さ対策として既存の障子戸に透明樹脂板を取り付けて障子紙との間に空気層をもうけて断熱性を高め、障子紙より耐火性のある透明樹脂板を取付け耐火性の向上を図る。しかし高齢者には障子戸が重くなり開閉が大変である。（特許文献３参）【００２１】
【特許文献３】特許第３５１８５７８号
【発明の効果】
【００２２】  本発明の戸車は障子戸、襖、引戸等の下かまちに戸車を取付ける穴を加工すれば既存の引戸、敷居がそのまま利用できるため資源のリサイクルができる。【００２３】  障子戸、襖、引戸等に本発明の戸車を取付け摺動面のすべり摩擦０．５μをころがり摩擦０．０５μ’に変えて戸の開閉が１／１０の力で作動し軽くなる。（表１）【００２３】
【表１】
0004504943.tif 000002
大西清著、「機械設計製図便覧１０版」理工学社出版、２００４年６月２５日発行、Ｐ．３−８、３−１表すべり摩擦、３−２表ころがり摩擦【００２４】  更に新規に障子戸、襖、引戸等を製作し戸車を組込むことができる。【００２５】  柱と戸の立てかまちのすき間を調整するために下かまちを傾けて戸車を調整する。その結果、敷居の溝と戸の下かまちにすき間が生じる。その対策として下かまちに薄い樹脂板を取付けて塵の進入とすき間風を防ぐことができる。【００２６】  敷居の溝に進入する塵、砂ぼこり、綿ぼこり等はワイパーで除去できる。【００２７】  本発明の戸車はプラスチック、アルミダイキャスト、鉄、合成ゴム、ステンレスで製作する。
【発明を実施するための最良の形態】
【００２８】
以下、本発明の実態の形態を図１〜図１０に基づいて説明する。
【００２９】  図においては、１は戸車ケースで、ナット２、送りねじ３、カム板４、ばね５、台車枠６、ワイパー７、ベアリング８、送りねじ座金９、戸車リング１０、支持軸１１、戸車軸１２、台車軸１３、軸座金１４、フエルト１５、座金１６、これをまとめて戸車１７。送りねじ３は戸車ケース１に両端が支持されている。カム板４は戸車ケース１に支持軸１１で固定されている。カム板４にはカムみぞがあり、カムみぞには送りねじ３とナット２が組込まれる。戸車は上方向と左右側面は戸車ケース１で覆われている。【００３０】
戸車１７は、戸車ケース１と、戸車ケース１に取り付けられた送りねじ３と、送りねじ３の側面に設けられたナット２と、ナット２が係合するカム溝を有するカム板４と、戸車ケース１に対し、カム板４を傾き可能に支持する支持軸１１と、戸車リング１０を回転自在に支持する台車枠６と、台車枠６にカム板４を連結する台車軸１３とを有している。送りねじ３は戸車リング１０の軸線に直交する方向に延在している。
カム板４にカムみぞがあり、送りねじ３のナット２が移動するとカム板４が支持軸１１を中心にして傾き、台車枠６を上げ、下げして戸車の高さを調整する。
【００３１】
カム板４のカムみぞは、角度ａ°（１〜８５°）の範囲で延在する円弧状であり、カム板４は支持軸１１を中心にして傾く。
【００３２】  戸車の摺動面に塵、砂ぼこり等が進入した場合は台車枠６が台車軸１３を中心に傾き、障害物を乗り越える。ばね５が取付けてあるため、元の状態に復元する。【００３３】
送りねじ３の両端は、戸車ケース１との間に送りねじ座金９、座金１６を介在させた状態で膨径されており、これにより送りねじ３の軸方向の移動がないように回転可能に固定されている。
【００３４】  従来の引戸は戸車の車輪を２個取付けているが本発明の戸車は４個以上の車輪を使用するため寿命が長くなる。【００３５】  フエルト１５は戸車１７が風、振動等で引戸が自然に開かないようにブレーキをかけている。【００３６】  ワイパー７は台車枠６の周囲を囲い塵の進入を防ぎ、塵による戸車の故障を防ぐ。【００３７】  引き戸の下かまちにはすき間風と防塵対策として薄い樹脂板２６を取付けている。【００３８】  敷居の平形溝が戸車の繰返し使用で磨耗の対策として樹脂テープ２９を溝に接着する。
【図面の簡単な説明】
【００３９】
【図１】  本発明の実施形態を示す戸車の正面断面図
【図２】  同図１における右側側面図
【図３】  同図１におけるＡ−Ａ線断面図面
【図４】  同図１におけるカム板の外形図
【図５】  同図１におけるＢ−Ｂ線断面図面
【図６】  同図１におけるワィパーの外形図
【図７】  本発明の戸車を引戸（障子戸）に取付けた外形図
【図８】  同図７のＡ部詳細取付け図
【図９】  同図７の右側側面図と敷居断面図
【図１０】  〔特許文献２〕特開平９−６０４０１号公報の軸受け部の外形図
【符号の説明】
【００４０】  １    戸車ケース
２    ナット
３    送りねじ
４    カム板
５    ばね
６    台車枠
７    ワィパー
８    ベアリング
９    送りねじ座金
１０    戸車リング
１１    支持軸
１２    戸車軸
１３    台車軸
１４    軸座金
１５    フエルト
１６    座金
１７    戸車
１８    鴨居
１９    上かまち
２０    柱
２１    立てかまち
２２    下かまち
２３    敷居
２４    すき間
２５    引戸（障子戸、襖戸、引戸）
２６    薄い樹脂板
２７    障子紙
２８    取付けねじ
２９    樹脂テープ
３０    半径Ｒ
３１    傾斜角度ａ°（１〜８５°）
３２    垂直案内溝付き外ケース（特許文献２）
３３    傾斜案内溝付き内ケース（特許文献２）
３４    戸車軸（特許文献２）
【図１】
0004504943.tif 000003
【図２】
0004504943.tif 000004
【図３】
0004504943.tif 000005
【図４】
0004504943.tif 000006
【図５】
0004504943.tif 000007
【図６】
0004504943.tif 000008
【図７】
0004504943.tif 000009
【図８】
0004504943.tif 000010
【図９】
0004504943.tif 000011
【図１０】
0004504943.tif 000012